(57)【特許請求の範囲】
【請求項１】
複数のレンズ使用者へのコンタクトレンズの提供の履歴情報を管理するレンズ提供情報管理装置であって、
前記履歴情報として前記コンタクトレンズの提供日とレンズ規格値とを前記レンズ使用者毎に記憶する履歴情報記憶手段と、
複数のレンズ使用者に直接応対してコンタクトレンズをそれぞれ手渡す販売店舗の窓口担当者の使用に供されて、前記コンタクトレンズの包装ケースに付されたケース付属情報からレンズ規格値を取得するレンズ情報取得手段と、
該レンズ情報取得手段で取得された前記レンズ規格値を、前記履歴情報記憶手段に記憶された前記レンズ規格値と比較し、対応する前記レンズ使用者の情報においてそれら双方のレンズ規格値が同一か否かを判定する規格値判定手段と、
該規格値判定手段において前記双方のレンズ規格値が相違した場合に、前記販売店舗の窓口担当者が認識可能な警告を発する規格警告手段と
を、含むことを特徴とするレンズ提供情報管理装置。
【請求項２】
眼科検査の有効期限を前記レンズ使用者毎に記憶する検査情報記憶手段と、
前記規格値判定手段で対象とされた前記レンズ使用者の情報において、該検査情報記憶手段に記憶された眼科検査の有効期限が超過しているか否かを判定する検査期限判定手段と、
該検査期限判定手段により、眼科検査の有効期限が超過している場合に警告を発する検査警告手段と
を、含む請求項１に記載のレンズ提供情報管理装置。
【請求項３】
前記レンズ情報取得手段において、前記ケース付属情報から該コンタクトレンズの製造ロット番号が取得されると共に、
前記履歴情報記憶手段において、該レンズ情報取得手段によって取得された該製造ロット番号が前記コンタクトレンズの提供日およびレンズ規格値と共に前記レンズ使用者毎に記憶されるものであり、更に、
該履歴情報記憶手段の記憶情報から特定の製造ロット番号を選択抽出し、該特定の製造ロット番号に該当する前記コンタクトレンズが提供された前記レンズ使用者の情報を外部出力するロット選択出力手段を備えている請求項１又は２に記載のレンズ提供情報管理装置。
【請求項４】
前記ロット選択出力手段による外部出力に基づいて、前記特定の製造ロット番号に該当する前記コンタクトレンズが提供された前記レンズ使用者に対するダイレクトメールの送付用ラベルを印刷する印刷手段を備えている請求項３に記載のレンズ提供情報管理装置。
【請求項５】
前記レンズ情報取得手段で取得された前記レンズ規格値に基づいて、該レンズ規格値に対応するコンタクトレンズをレンズメーカー側に発注するためのレンズ発注信号を出力するレンズ発注手段を備えている請求項１〜４の何れか１項に記載のレンズ提供情報管理装置。
【請求項６】
前記レンズ情報取得手段がデジタルコードスキャナである請求項１〜５の何れか１項に記載のレンズ提供情報管理装置。
【請求項７】
複数のレンズ使用者におけるコンタクトレンズの提供日とレンズ規格値とをレンズ使用者毎に履歴情報として記憶する履歴情報記憶手段と、複数のレンズ使用者に直接応対して該コンタクトレンズをそれぞれ手渡す販売店舗の窓口担当者の使用に供されて前記コンタクトレンズの包装ケースに付されたケース付属情報からレンズ規格値を取得するレンズ情報取得手段と、該レンズ情報取得手段で取得された前記レンズ規格値を前記履歴情報記憶手段に記憶された前記レンズ規格値と比較して対応する前記レンズ使用者の情報においてそれら双方のレンズ規格値が同一か否かを判定する規格値判定手段と、該規格値判定手段において前記双方のレンズ規格値が相違した場合に前記販売店舗の窓口担当者が認識可能な警告を発する規格警告手段とを、含んで構成されたレンズ提供情報管理装置を利用したコンタクトレンズの販売方法であって、
レンズ使用者に手渡されるコンタクトレンズの包装ケースから、前記販売店舗の窓口担当者によって使用される前記レンズ情報取得手段が前記レンズ規格値を取得する段階と、
前記規格値判定手段が、該コンタクトレンズが手渡される該レンズ使用者に対して過去に提供したコンタクトレンズのレンズ規格値を、前記履歴情報記憶手段から取得する段階と、
該規格値判定手段が、前記レンズ情報取得手段で取得した前記レンズ規格値と前記履歴情報記憶手段から取得した前記レンズ規格値とを比較して相互に同一か否かを判定する段階と、
該規格値判定手段による比較結果が同一でなかった場合に、前記規格警告手段が前記販売店舗の窓口担当者が認識可能な警告を発する段階と
を、有することを特徴とするコンタクトレンズの販売方法。
【発明の詳細な説明】
【技術分野】
【０００１】
本発明は、複数のレンズ使用者にそれぞれコンタクトレンズを提供するに際して、担当者の過失等に起因する各レンズ使用者への不適合なコンタクトレンズの誤提供を効果的に防止し得る、新規な装置および方法に関するものである。
【背景技術】
【０００２】
従来から、視力の矯正等の目的でコンタクトレンズが多くの人に使用されている。かかるコンタクトレンズは、レンズの材質等によって異なるものの、使用期限が短いもので一日から数週間または数カ月、長くても一年〜数年程度とされている。それ故、コンタクトレンズの使用者は、コンタクトレンズの使用期限が到来する度に、使用していたコンタクトレンズを廃棄し、新たなコンタクトレンズを再入手することが必要になる。
【０００３】
ところで、コンタクトレンズには、材質等に関してソフトレンズとハードレンズ、含水性レンズと非含水性レンズ、一日使捨てレンズと二週間使捨てレンズと二カ月使捨てレンズと非使捨てレンズ、着色レンズと非着色レンズなどの多くの種類がある。また、コンタクトレンズは、形状等に関してもＤＩＡ（レンズ外径）やＢ．Ｃ（ベースカーブ）、Ｃ．Ｔ（中心厚さ）などが種々設定されており、更に光学特性等に関しても球面レンズ度数、円柱レンズ度数、多焦点レンズ度数などの各種設定が施されている。
【０００４】
そして、コンタクトレンズの各使用者には、これら多くの種類の中から適合する特定の材質や形状および光学特性のものが選定されて提供されることとなる。特にコンタクトレンズは人体に直接に装用される高度管理医療機器であり、適合しないコンタクトレンズの装用は適性な視力が提供されないだけでなく、使用者に健康上の悪影響を及ぼすおそれがある。それ故、特開２００１−３２５３３７号公報（特許文献１）に記載のように、コンタクトレンズの使用者には、コンタクトレンズを最初に利用する際だけでなく定期的にも眼科医の検診が行われ、処方箋情報に基づいて、使用者毎に適合したコンタクトレンズが提供されるようになっている。
【０００５】
ところが、コンタクトレンズを実際に使用者に手渡すのは、コンタクトレンズ販売店舗であり、当然ながら、そこには多種類の材質や形状および光学特性のコンタクトレンズが在庫されている。そして、それら多種類のコンタクトレンズの中から、処方箋情報等に基づいて、販売店舗の窓口担当者が各使用者に合致するコンタクトレンズを選び出して各使用者に手渡している。このコンタクトレンズの使用者への手渡しの作業は、人手によるものであり、それ故、間違って異なる種類のコンタクトレンズ（当該使用者に適合しないコンタクトレンズ）を手渡してしまう事故を、避け難いという問題があったのである。
【０００６】
なお、このような手渡し時における間違いを防止するための工夫を実施している販売店もある。しかし、その工夫は、コンタクトレンズの種類毎に異なる棚に区分して入れて、それら各棚に種類を表記しておく程度に止まるのが現状であった。そのために、当初の棚入れの際に間違って種類の異なるコンタクトレンズを入れてしまったり、棚から取り出す際に間違った棚からコンタクトレンズを取り出してしまうことが、人手による作業である以上は避けられなかった。
【０００７】
特に、レンズ使用者毎に作成された処方箋等による指示情報に従って、該当するコンタクトレンズを棚から出して使用者に手渡す作業は、一般に、コンタクトレンズの専門知識を持たない販売店舗の窓口担当者の業務とされることから、コンタクトレンズの種類や形状および光学特性の細部までを毎回の手渡時に、使用者毎に確認して正確を期すことは困難である。しかも、コンタクトレンズのパッケージデザインは、コンタクトレンズの材質等で異なっている場合があるものの、一般に、レンズ度数やベースカーブ等の光学特性や形状等が異なっていても同じパッケージデザインとなっているし、それら光学特性や形状等が大きく表示されていることも無い。それ故、コンタクトレンズを使用者に手渡す店舗担当者が間違った場合、レンズ使用者も間違いに気づき難い。たとえレンズ使用者が、後から気づいたとしても、その返品や交換等に余分の労力等が費やされることとなるし、間違ったままでレンズ使用者が装用することによって、目的とする光学的な矯正効果や装用感が得られない等という、大きな問題をまねくおそれもあったのである。
【先行技術文献】
【特許文献】
【０００８】
【特許文献１】特開２００１−３２５３３７号公報
【発明の概要】
【発明が解決しようとする課題】
【０００９】
本発明は、上述の事情を背景として為されたものであり、その解決課題とするところは、レンズ使用者に提供するコンタクトレンズの規格間違いを効果的に防止せしめ得る、新規な構造のレンズ提供情報管理装置およびレンズ販売方法を提供することにある。
【課題を解決するための手段】
【００１０】
レンズ提供情報処理装置に関する本発明の特徴とするところは、（ｉ）複数のレンズ使用者へのコンタクトレンズの提供の履歴情報を管理するレンズ提供情報管理装置であって、（ｉｉ）前記履歴情報として前記コンタクトレンズの提供日とレンズ規格値とを前記レンズ使用者毎に記憶する履歴情報記憶手段と、（ｉｉｉ）複数のレンズ使用者に直接応対してコンタクトレンズをそれぞれ手渡す販売店舗の窓口担当者の使用に供されて、前記コンタクトレンズの包装ケースに付されたケース付属情報からレンズ規格値を取得するレンズ情報取得手段と、（ｉｖ）該レンズ情報取得手段で取得された前記レンズ規格値を、前記履歴情報記憶手段に記憶された前記レンズ規格値と比較し、対応する前記レンズ使用者の情報においてそれら双方のレンズ規格値が同一か否かを判定する規格値判定手段と、（ｖ）該規格値判定手段において前記双方のレンズ規格値が相違した場合に、前記販売店舗の窓口担当者が認識可能な警告を発する規格警告手段とを、含むレンズ提供情報管理装置にある。
【００１１】
本発明に係るレンズ提供情報管理装置においては、レンズ使用者へ提供するコンタクトレンズの包装ケースからレンズ規格値をレンズ情報取得手段で直接に取得し、この取得したレンズ規格値を、当該使用者に対して過去にコンタクトレンズを提供する際に同様に取得したレンズ規格値と比較し、それらが相違している場合に警告が発せられる。それ故、各レンズ使用者に対してコンタクトレンズを再提供するに際して、仮に間違って不適合なレンズ規格のものを提供しようとした場合には、当然に前回提供したものとレンズ規格値が一致せずに警報が発せられることとなり、間違ったコンタクトレンズの提供が未然に防止され得る。
【００１２】
また、本発明のレンズ提供情報管理装置では、上述の一連の処理、即ちレンズ規格値の取得と記憶およびそれらの比較の処理に際しての人為的ミスも可及的に回避され得て、高い信頼性が発揮される。更に、コンタクトレンズの包装ケースに付されたレンズ規格値の情報は、高度管理医療器具であるコンタクトレンズの製造管理責任に従う製造工程で付されたものであり、極めて高精度で信頼されるものである。
【００１３】
すなわち、本発明では、コンタクトレンズが高度管理医療器具であり、法律や業界等による規定に従ってその包装ケースに対してレンズ規格値が精度良く明示されていることに着目し、この包装ケースに付されたレンズ規格値を巧く利用し、それを自動的にデータとして取り込み、記憶させ、更に比較させる情報管理装置としたことにより、人手によるミスを防止して各レンズ使用者毎に適合するコンタクトレンズを確実に且つ速やかな確認処理で提供することを実現可能と為し得たのである。
【００１４】
なお、本発明における包装ケースは、コンタクトレンズを使用者に提供する際に外部から視認可能な包装体とされるものであり、コンタクトレンズの種類等に応じて、例えばコンタクトレンズの個別包装体であっても、当該個別包装体の複数を収容した包装箱や包装袋であっても良い。
【００１５】
また、ケース付属情報は、デジタル印刷情報であるバーコードや二次元コード等が取扱い易く好適であるが限定されない。レンズ情報取得手段によって情報取得可能な状態で包装ケースに付されるものであれば良く、例えば包装ケースに記載された数字や文字をイメージとして取り込んで画像処理により数字や文字をレンズ規格値として認識するものや、ＩＣタグ、共振タグ等であっても良い。
【００１６】
レンズ提供情報管理装置に関する本発明の第二の態様は、前記第一の態様のレンズ提供情報管理装置において、更に、（ｖｉ）眼科検査の有効期限を前記レンズ使用者毎に記憶する検査情報記憶手段と、（ｖｉｉ）前記規格値判定手段で対象とされた前記レンズ使用者の情報において、該検査情報記憶手段に記憶された眼科検査の有効期限が超過しているか否かを判定する検査期限判定手段と、（ｖｉｉｉ）該検査期限判定手段により、眼科検査の有効期限が超過している場合に警告を発する検査警告手段とを、設けたものである。
【００１７】
本態様のレンズ提供情報管理装置では、レンズ使用者に対して定期的な眼科検診を効率的に促すことが可能となり、眼科検診によるレンズ使用者の健康管理が、レンズ使用者やレンズ提供者に過度の負担を強いることなく実現可能となる。
【００１８】
レンズ提供情報管理装置に関する本発明の第三の態様は、前記第一又は第二の態様のレンズ提供情報管理装置であって、更に、（ｉｘ）前記レンズ情報取得手段において、前記ケース付属情報から該コンタクトレンズの製造ロット番号が取得されると共に、（ｘ）前記履歴情報記憶手段において、該レンズ情報取得手段によって取得された該製造ロット番号が前記コンタクトレンズの提供日およびレンズ規格値と共に前記レンズ使用者毎に記憶されるものであり、更に、（ｘｉ）該履歴情報記憶手段の記憶情報から特定の製造ロット番号を選択抽出し、該特定の製造ロット番号に該当する前記コンタクトレンズが提供された前記レンズ使用者の情報を外部出力するロット選択出力手段を備えているものである。
【００１９】
本態様のレンズ提供情報管理装置では、特定の製造ロット番号のコンタクトレンズに対して何等かの不具合等が発見された場合に、該当するコンタクトレンズが提供されたレンズ使用者を特定して情報出力することが出来る。それ故、出力された情報を用いて、既に市場に出された後でも、特定の製造ロット番号のコンタクトレンズを効率的且つ速やかに回収したり、該当するレンズ使用者に対してダイレクトメールやインターネットメール等で緊急の情報提供を行ったり等することが可能となる。
【００２０】
特に、高度管理医療器具であるコンタクトレンズの包装ケースには、従来から製造ロット番号が表示されていることから、本態様では、かかる製造ロット番号を巧く利用し、レンズ規格値のレンズ使用者毎の記憶および管理と併せて効率的に製造ロット番号とも対応付けて、各レンズ使用者に提供されたコンタクトレンズを一層詳細に且つ効率的に管理することを可能と為し得たのである。
【００２１】
レンズ提供情報管理装置に関する本発明の第四の態様は、前記第三の態様に係るレンズ提供情報管理装置であって、更に、（ｘｉｉ）前記ロット選択出力手段による外部出力に基づいて、前記特定の製造ロット番号に該当する前記コンタクトレンズが提供された前記レンズ使用者に対するダイレクトメールの送付用ラベルを印刷する印刷手段を備えているものである。
【００２２】
レンズ提供情報管理装置に関する本発明の第五の態様は、前記第一乃至第四の何れか一の態様に係るレンズ提供情報管理装置であって、更に、（ｘｉｉｉ）前記レンズ情報取得手段で取得された前記レンズ規格値に基づいて、該レンズ規格値に対応するコンタクトレンズをレンズメーカー側に発注するためのレンズ発注信号を出力するレンズ発注手段を備えているものである。
【００２３】
本態様のレンズ提供情報管理装置では、レンズ使用者に提供することによってレンズ販売店舗における在庫が減少した分のコンタクトレンズを、該当するレンズ規格値を正確に且つ容易に特定して、在庫補充用にレンズメーカー側へ速やかに発注することが可能となる。
【００２４】
レンズ提供情報管理装置に関する本発明の第六の態様は、前記第一乃至第五の何れか一の態様に係るレンズ提供情報管理装置であって、前記レンズ情報取得手段がデジタルコードスキャナとされたものである。
【００２５】
すなわち、デジタルコードは、コンピュータで読取可能なデジタル情報識別子であってバーコードやＱＲコード（登録商標）等の二次元コードを含む。このようなデジタルコードによる表記を、ケース付属情報として採用し、本態様のデジタルコードスキャナで読み取ることにより、非接触式ＩＣタグ等を採用する場合や画像処理により数字や文字を認識させる場合等に比して簡単な設備や装置で本発明装置を実現することが可能となる。
【００２６】
コンタクトレンズの販売方法に関する本発明の特徴とするところは、複数のレンズ使用者におけるコンタクトレンズの提供日とレンズ規格値とをレンズ使用者毎に履歴情報として記憶する履歴情報記憶手段と、複数のレンズ使用者に直接応対して該コンタクトレンズをそれぞれ手渡す販売店舗の窓口担当者の使用に供されて前記コンタクトレンズの包装ケースに付されたケース付属情報からレンズ規格値を取得するレンズ情報取得手段と、該レンズ情報取得手段で取得された前記レンズ規格値を前記履歴情報記憶手段に記憶された前記レンズ規格値と比較して対応する前記レンズ使用者の情報においてそれら双方のレンズ規格値が同一か否かを判定する規格値判定手段と、該規格値判定手段において前記双方のレンズ規格値が相違した場合に前記販売店舗の窓口担当者が認識可能な警告を発する規格警告手段とを、含んで構成されたレンズ提供情報管理装置を利用したコンタクトレンズの販売方法であって、（Ｉ）レンズ使用者に手渡されるコンタクトレンズの包装ケースから、前記販売店舗の窓口担当者によって使用される前記レンズ情報取得手段が前記レンズ規格値を取得する段階と、（ＩＩ）前記規格値判定手段が、該コンタクトレンズが手渡される該レンズ使用者に対して過去に提供したコンタクトレンズのレンズ規格値を、前記履歴情報記憶手段から取得する段階と、（ＩＩＩ）該規格値判定手段が、前記レンズ情報取得手段で取得した前記レンズ規格値と前記履歴情報記憶手段から取得した前記レンズ規格値とを比較して相互に同一か否かを判定する段階と、（ＩＶ）該規格値判定手段による比較結果が同一でなかった場合に、前記規格警告手段が前記販売店舗の窓口担当者が認識可能な警告を発する段階とを、有するコンタクトレンズの販売方法にある。
【００２７】
本発明方法に従えば、販売店舗の窓口担当者がコンタクトレンズを使用者に手渡す際に、当該コンタクトレンズのレンズ規格値を包装ケースから取得して当該使用者の過去の提供レンズデータと比較することで正否判定される。それ故、販売店舗の窓口担当者が間違ったコンタクトレンズを手渡す人為的ミスが、レンズ使用者へ当該コンタクトレンズを手渡す前に検証されて指摘されることとなり、たとえ窓口担当者が専門知識等を持たなくても、レンズ使用者に提供するコンタクトレンズの規格間違いを未然に防止することが出来る。
【発明の効果】
【００２８】
本発明によれば、包装ケースに対して正確に付されたレンズ規格値を巧く利用し、コンタクトレンズの手渡時における人手によるミスを効果的に防止して、各レンズ使用者毎に適合するコンタクトレンズを確実に且つ速やかな確認処理で提供することが可能となる。
【図面の簡単な説明】
【００２９】
【図１】本発明の実施形態に係るレンズ提供情報管理装置を用いたコンタクトレンズの販売システムの概要を示す説明図。
【図２】図１に示されたレンズ提供情報管理装置を表す機能ブロック図。
【図３】コンタクトレンズのパッケージの具体例を示す説明図。
【図４】コンタクトレンズのパッケージの別の具体例を示す説明図。
【図５】図１に示されたレンズ提供情報管理装置を用いて本発明方法の実施形態であるコンタクトレンズの販売を実行する処理の概要をフローチャートで示す説明図。
【図６】レンズ提供情報管理装置に表示される画面の例を示す説明図。
【図７】レンズ提供情報管理装置に表示される別の画面の例を示す説明図。
【図８】レンズ提供情報管理装置に表示される更に別の画面の例を示す説明図。
【図９】レンズ提供情報管理装置に表示される更に別の画面の例を示す説明図。
【図１０】レンズ提供情報管理装置に表示される更に別の画面の例を示す説明図。
【図１１】製造ロット番号を利用した処理の一具体例を示すフローチャート。
【発明を実施するための形態】
【００３０】
以下、本発明の実施形態について、図面を参照しつつ説明する。
【００３１】
先ず、図１には、本発明に従うコンタクトレンズの販売方法を実施するために好適に採用される、本発明に従って構成されたレンズ提供情報管理装置としての店舗用クライアント装置１０を含んで構成されたコンタクトレンズの販売システムの一実施形態が、モデル的な概略図として示されている。
【００３２】
すなわち、本実施形態の販売システムは、（ｉ）コンタクトレンズの購入を希望する使用者に対して直接に対応して使用者へのコンタクトレンズの販売窓口となる複数の店舗においてそれぞれ使用される複数の店舗用クライアント装置１０と、（ｉｉ）コンタクトレンズのメーカーであり出荷元であるレンズ提供者によって管理されて用いられるサーバ装置１２とを、含んで構成されている。そして、これら複数の店舗用クライアント装置１０とサーバ装置１２とが、ワールドワイド・ウェブ（World Wide Web) を使用した通信ネットワーク手段としてのインターネット１８等を経由して、相互に接続されたコンピュータのネットワークシステムとして、本実施形態のコンタクトレンズの販売システムが構成されている。
【００３３】
なお、上記店舗用クライアント装置１０やサーバ装置１２としては、何れも、インターネットを利用した情報の送受信が出来るように、キーボードやマウス等の入力装置と、ＣＲＴや液晶ディスプレイ等の表示装置を備えたコンピュータ等によって構成され得る。更に、これら店舗用クライアント装置１０やサーバ装置１２には、インターネット上で各種情報を個別的に送受信し得るように適当なソフトウェアが導入されていると共に、必要に応じて、送受信信号を暗号化および復号化するためのソフトウェアが導入され得る。更にまた、店舗用クライアント装置１０やサーバ装置１２には、管理情報や送受信情報等を適宜に印刷するための印刷装置を備えることが好適である。
【００３４】
また、店舗用クライアント装置１０やサーバ装置１２には、所定のソフトウェアを作動させると共に情報を記憶するために適当な容量の情報記憶手段が備えられる。かかる情報記憶手段としては、ＲＯＭ，ＲＡＭに加えて、磁気ディスクや光学ディスク等が適宜に採用され得る。特に、サーバ装置１２は、店舗用クライアント装置１０が設置される全ての店舗を通じてレンズ使用者に提供されるコンタクトレンズの提供情報を含む、全てのレンズ使用者の情報を記憶し、必要に応じて検索するのに充分な容量の情報記憶手段が備えられ、データベースシステムが構成される。
【００３５】
さらに、各店舗用クライアント装置１０は、サーバ装置１２のデータベースシステムを、通信ネットワーク１８を通じて利用することにより、必要に応じて、レンズ使用者毎の各種情報を利用することも可能であり、その場合には、各店舗用クライアント装置１０は、レンズ使用者毎の詳細な情報を記憶したデータベースシステムを個別に備えている必要はない。尤も、本実施形態では、各店舗用クライアント装置１０は、図２に示されているように、所定のソフトウェアを記憶及び作動させたりするための情報記憶手段を含む演算装置２０に加えて履歴情報記憶装置２２を備えており、この履歴情報記憶装置２２によって、当該店舗の顧客であるレンズ使用者毎のコンタクトレンズの提供日やレンズ規格値等の詳細な情報を履歴情報として記憶したデータベースシステムが構成されるようになっている。
【００３６】
これにより、本実施形態の店舗用クライアント装置１０は、そこに備えられた入力装置としてのキーボード２４や表示装置２６により、インターフェース２８を介して履歴情報記憶装置２２の情報を利用することが出来るようになっており、サーバ装置１２から独立して、当該店舗の顧客に関する情報の参照や変更等の管理を行うことが出来るようになっている。従って、通信ネットワークの障害やサーバ装置１２の不具合等があった場合でも、各店舗では、店舗用クライアント装置１０だけで情報管理を実施して、顧客の要求に対応することが可能となり、その後に、必要に応じて、サーバ装置１２へ情報送信してサーバ装置１２のデータベースシステムに反映することが出来るようになっている。
【００３７】
また、各店舗用クライアント装置１０には、かかる店舗で顧客に提供するコンタクトレンズのパッケージ（外装体）に付された表示から当該コンタクトレンズに関する情報を読み取るためのレンズ情報取得手段としてのデジタルコードスキャナ３０が備えられている。そして、このデジタルコードスキャナ３０によって取得された情報が、インターフェース２８を介して、演算装置２０に入力されるようになっている。
【００３８】
すなわち、本発明が対象とするコンタクトレンズは、医療用途品であって、法令や業界等の自主規制によって、外装体への表示内容が多く規定されている。そして、この外装体に表示された、収容されたコンタクトレンズのレンズ規格値を、レンズ情報取得手段としてのデジタルコードスキャナ３０によって読み取り可能とされている。
【００３９】
図３及び図４には、コンタクトレンズの包装ケースとしてのコンタクトレンズのパッケージの具体例がそれぞれ示されている。図３に示されたコンタクトレンズパッケージ３２と図４に示されたコンタクトレンズパッケージ３４は、何れも、使用期限が２週間とされた使い捨てコンタクトレンズを複数個収容した商品として市場に提供するためのものである。なお、図３のコンタクトレンズパッケージ３２は、近視や遠視の矯正に用いられる球面レンズ特性のコンタクトレンズの提供に用いられるものであり、一方、図４のコンタクトレンズパッケージ３４は、乱視を含む視力矯正に用いられる円柱レンズ特性のコンタクトレンズの提供に用いられるものである。このような商品は、個別の代金を支払うことを条件として個々に物販される他、レンズ提供者又は販売店とレンズ使用者との間に予め会員契約が交わされて当該レンズ使用者である会員ユーザー向けに所定の会費の支払いを条件として定期的に提供される（例えば、特開２００３−２２８６２３号公報等参照）。
【００４０】
これらのコンタクトレンズパッケージ３２，３４は、何れも、図３および図４において正面図を（ａ）、側面図を（ｂ）、背面図を（ｃ）として示すように、未開封の状態で外部から視認できるように多くの表示が付されている。特に、コンタクトレンズは、薬事法や業界規則等の適用に対応するために、収容された商品であるコンタクトレンズに関して、製造者や販売者、連絡先、普通名称、商品名、材質、特性、用途など、多くの表示を、未開封の状態で外部から視認可能に表示することが必要とされている。
【００４１】
なお、コンタクトレンズパッケージ３２，３４は、何れも、紙等で形成された中空箱体の包装箱３６を備えており、保存液に浸漬されて個別パッケージに封止されたコンタクトレンズの適数個が、かかる包装箱３６に収容されている。また、包装箱３６は、その全体を薄膜の包装フィルム３８で覆われており、包装箱３６と包装フィルム３８とによって、個別商品であるコンタクトレンズの複数個を収容包装して市場に提供する商品単位とするコンタクトレンズパッケージ（外装体）３２，３４が構成されている。そして、これら包装箱３６と包装フィルム３８との何れかに対して印刷やレーザー照射等の公知の手法により、上述の製造者や販売者等の表示が付されている。
【００４２】
かかる表示は、具体的には、図３及び図４の各（ａ）に示されているように、パッケージ正面には、「ＡＡＡ」という商品名が大きく中央表示されていると共に、商品提供者である法人の名称「○○○○○○○」および社標（マーク）「◎」と、当該商品の普通名称である「２週間交換ソフトコンタクトレンズ」との表示が為されている。
【００４３】
また、図３及び図４の各（ｂ）に示されているように、パッケージの一方の側面には、収容されたコンタクトレンズの使用期限を示す文字「２０９９−１２」と、製造ロット番号を示す文字「ＴＥＳＴ６３４００１」とが表示されていると共に、収容されたコンタクトレンズの規格値の一種である光学特性の表示欄４０が設けられており、かかる表示欄４０において、ベースカーブ（ＢＣ）値「８．６」と、球面レンズ度数（ＳＰＨ）値「−３．００」と、円柱レンズ度数（ＣＹＬ）値「−１．７５」と、シリンダ軸（ＡＸＩＳ）値「１８０」が表示されている。なお、図３に示されているように、乱視用コンタクトレンズのレンズ規格値であるＣＹＬおよびＡＸＩＳの各表示欄は、球面レンズ特性のコンタクトレンズパッケージ３２にも設けられて数値未記載とされており、これによって、例えばレンズ規格値を包装箱３６に表示する一方、パッケージ表面における「ｔｏｒｉｃ」や「乱視用」の文字等を包装フィルム３８に表示することにより、包装箱３６の共用が図られている。
【００４４】
更に、図３及び図４の各（ｃ）に示されているように、パッケージ背面には、その中央上部の第一表示領域４４に、収容物の説明として「６枚入り」（商品数量）および「添付文書在中」の文字と、販売名として「△△△△２ウィーク□□□□」の文字、製造販売業者の名称および所在地などが表示されている。また、パッケージ背面の左部の第二表示領域４６には、ケース付属情報としての第一及び第二のバーコード５０，５２が表示されている。そして、第一のバーコード５０でレンズ規格値である上記のＢＣ値、ＳＰＨ値、ＣＹＬ値、ＡＸＩＳ値が表示されていると共に、第二のバーコード５２で、製造ロット番号が表示されている。なお、本実施形態では一次元のバーコード５０，５２が採用されているが、二次元のバーコードを用いることも可能であり、また、製造ロット番号やプロダクトコード、ＪＡＮコードやＥＡＮコード等を表示するバーコードを追加しても良い。
【００４５】
このようなコンタクトレンズパッケージ３２，３４に収容されたコンタクトレンズを、前述の如き店舗用クライアント装置１０やサーバ装置１２を含む販売システムを利用してレンズ使用者に提供するに際しての販売システムの作動を、図５に例示のフロー図に従って説明する。
【００４６】
先ず、店舗用クライアント装置１０を備えた店舗において、以前に来店したことがあるレンズ使用者からコンタクトレンズの追加提供の要求を受けることによって販売システムの作動を開始する。かかる要求は、レンズ使用者が店舗に直接に来店して意思表示する他、レンズ使用者からインターネット等の通信回線を使って店舗に意思表示することによっても行われ得る。販売システムの作動の開始は、例えば店舗の担当者によって、店舗用クライアント装置１０の作動開始処理として、予めインストールされたソフトウェアの実行指令信号が入力されることで実行される。
【００４７】
店舗用クライアント装置１０において、販売システムの作動が開始される（Ｓ１）と、例えば図６に示されているように、店舗用クライアント装置１０の表示装置２６において顧客である当該レンズ使用者を特定するための顧客番号入力画面が表示される。そして、担当者が、店舗用クライアント装置１０のキーボード２４から該当する顧客番号及び／又は顧客氏名を入力することにより、店舗用クライアント装置１０が顧客番号を取得する（Ｓ２）。
【００４８】
店舗用クライアント装置１０は、上記（Ｓ２）で取得した顧客番号に基づいて、履歴情報記憶装置２２に記憶された中から該当する顧客の情報を読み出し（Ｓ３）、図７に示されているように、かかる顧客情報を店舗用クライアント装置１０の表示装置２６に表示する（Ｓ４）。なお、図７では、顧客情報の項目だけを例示してあるが、各項目欄には必要に応じて具体的な文字が表示される。また、表示される顧客情報の項目は任意であり、必要に応じて適当に取捨選択されたり追加され得る。そして、表示された顧客情報により、店舗の担当者が正誤を判断し、当該顧客情報が、店舗においてレンズの提供を要求している顧客に一致すると認定した場合には、キーボード２４のエンターキー打鍵等により、確認信号を店舗用クライアント装置１０に入力する。
【００４９】
店舗用クライアント装置１０には、履歴情報記憶手段２２によって構成されて、顧客情報の一部としてのレンズ使用者毎の眼科検査の有効期限を記憶する検査情報記憶手段が備えられており、続くステップＳ５において、ステップＳ３で、検査情報記憶手段から読み出された眼科検査の有効期限を示す顧客情報により、当該レンズ使用者について予め設定された眼科検査時期が到来していないかを、判定する。この判定は、ソフトウェアに従って処理を実行する演算装置２０によって構成された検査期限判定手段により行われる。なお、かかる眼科検査時期は、使用するコンタクトレンズの種類やレンズ使用者毎の事情（例えば、コンタクトレンズ使用開始からの期間や、涙液量の程度、過去の疾病状況等）を考慮して、半年毎や一年毎など適宜に設定され得る。そして、眼科検査時期が既に到来していると判定された場合には、ステップＳ６に進み、例えば図８に示されているように、画面表示を実行するソフトウェアと演算装置２０によって構成されている検査警告手段により、検査の有効期限が超過していることを店舗用クライアント装置１０の表示装置２６に表示する。
【００５０】
かかる検査の有効期限超過表示がされた場合には、例えば店舗の担当者がレンズ使用者に確認し、レンズ使用者が他の眼科等で検査を受けた等という特別な事情が認められたことを条件として、続くステップＳ７において、情報を確認したものとして、店舗用クライアント装置１０に確認済みの信号を入力して、レンズ提供のための作業を継続する。一方、検査の有効期限超過に関して特別な事情が認められない場合には、店舗用クライアント装置１０に確認不能の信号を入力して、レンズ提供のための作業を終了する。
【００５１】
また、店舗用クライアント装置１０は、ステップＳ８において、ステップＳ３で読み出した顧客情報により、当該レンズ使用者について、会員として定期的なコンタクトレンズの提供を受けるのに必要とされる会費の支払期限が到来していないかを、演算装置２０により判定する。なお、店舗用クライアント装置１０における会費の支払状況のデータ管理は、店舗で会費支払いを管理できる場合は店舗での情報更新が可能であるが、例えばクレジット会社に会費徴収を依頼しているような場合等には、通信ネットワーク１８を通じてサーバ装置１２から情報を取得したり、取得した情報で定期的に履歴情報記憶装置２２の情報を更新したりすることができる。そして、会費の支払期限が超過して未払いであると判定された場合には、ステップＳ９に進み、例えば図８に示されているように、会費が未納であることを店舗用クライアント装置１０の表示装置２６に表示する。
【００５２】
かかる会費の未納表示がされた場合には、例えば店舗の担当者がレンズ使用者に確認し、レンズ使用者が会費を納入したことを確認できたことや、会費は未納であるが今回は代金を支払うことで個別の物販としての提供を認めること等の特別な事情が認められたことを条件として、続くステップＳ７において、情報を確認したものとして、店舗用クライアント装置１０に確認済みの信号を入力して、レンズ提供のための作業を継続する。一方、会費未納に関して特別な事情が認められない場合には、店舗用クライアント装置１０に確認不能の信号を入力して、レンズ提供のための作業を終了する。
【００５３】
なお、上記ステップＳ５やＳ８における検査期間や会費納付に関する判定は、順不同に実施可能であり、図８に示されているように両判定を同時に画面表示して処理することも可能である。また、それらステップＳ５やＳ８における検査期間や会費納付に関する判定を、前記ステップＳ４における顧客情報のモニタ表示に先立って行ったり、或いは顧客情報のモニタ表示と同時に同じ画面に判定結果を表示したりすることも可能である。
【００５４】
そして、コンタクトレンズの提供を要求しているレンズ使用者（顧客）について、検査の有効期限と会費の支払いが確認されたら、店舗の担当者は、当該レンズ使用者に関する情報（例えば処方箋の情報）を参照して、当該レンズ使用者に提供すべき規格のコンタクトレンズを、店舗のコンタクトレンズ収容場所から選定して取り出して、それを手渡したり、発送したりすることになる。
【００５５】
ここにおいて、本実施形態の販売システムでは、ステップＳ１０において、店舗用クライアント装置１０が、店舗の担当者によって取り出されたコンタクトレンズについて、そのコンタクトレンズパッケージ３２，３４に表示されたケース付属情報であるレンズ規格値を取得する。具体的には、コンタクトレンズパッケージ３２，３４に付された第一のバーコード５０を、デジタルコードスキャナ３０で光学的に読み取ることにより、デジタルデータとして、当該コンタクトレンズパッケージ３２，３４に収容されたコンタクトレンズのレンズ規格値であるＢＣ値、ＳＰＨ値、ＣＹＬ値、ＡＸＩＳ値を取得する。
【００５６】
また、本実施形態では、ステップＳ１１において、第二のバーコード５２を、デジタルコードスキャナ３０で光学的に読み取ることにより、デジタルデータとして、当該コンタクトレンズパッケージ３２，３４に収容されたコンタクトレンズの製造ロット番号も取得する。なお、製造ロット番号の取得は本発明において必須ではない。また、製造ロット番号に代えて又は加えて、コンタクトレンズパッケージ３２，３４に収容されたコンタクトレンズの種類（例えば、ソフトレンズとハードレンズの別や、その具体的な商品名、連続使用可能日数）等の情報も、デジタルコードスキャナ３０等を利用して、店舗用クライアント装置１０が取得するようにしても良い。
【００５７】
一方、店舗用クライアント装置１０は、ステップＳ１２において、履歴情報記憶装置２２に記憶された情報から、レンズ提供を要求している当該顧客に対して前回提供したコンタクトレンズのレンズ規格値の情報を読み出して取得する。
【００５８】
そして、続くステップＳ１３において、上記ステップＳ１０で取得した今回提供予定のレンズ規格値（Ｘ）と、上記ステップＳ１２で取得した前回提供したレンズ規格値（Ｙ）とを、相互に比較して、それらが一致するか否かを判定する。なお、判定は店舗用クライアント装置１０のソフトウェアに従って処理を実行する演算装置２０によって構成されている規格値判定手段によって行われる。その判定の結果、今回提供予定のレンズ規格値（Ｘ）が、前回提供したレンズ規格値（Ｙ）と相違すると判定された場合には、ステップＳ１４において、画面表示を実行するソフトウェアと演算装置２０によって構成されている規格警告手段により、警告を実行する。
【００５９】
かかる警告は、例えば図９に示されている如きレンズ情報確認画面において、「前回提供レンズと相違」の警告文字を表示したり点滅させたり、それに併せて店舗用クライアント装置１０が備えるスピーカー５８（図２参照）を通じて警報音を発したりする等により行われ得る。これらの警告文字の点滅表示および警告音の出力も画面表示および音声出力を実行するソフトウェアと演算装置２０によって構成された規格警告手段により実現されている。なお、レンズ情報確認画面では、ステップＳ１０で取得した今回提供予定のレンズ規格値（Ｘ）と、上記ステップＳ１２で取得した前回提供したレンズ規格値（Ｙ）とを、それぞれ、レンズ使用者の情報と共に表示することが望ましい。なお、図９では、表示項目名は記載してあるが、具体的な数値は省略している。かかる表示項目中、「提供日」欄に記載された２２年０８月０１日は当該レンズ使用者に対して前回コンタクトレンズを提供した日付であって、当該日付欄には前回提供したコンタクトレンズのレンズ規格値等の情報が表示されている。また、その下段の２２年１０月０１日は当該レンズ使用者に対して今回コンタクトレンズを提供する日付であって、当該日付欄には今回提供するコンタクトレンズのレンズ規格値等の情報が表示される。
【００６０】
上記ステップＳ１３で、今回提供予定のレンズ規格値（Ｘ）が、前回提供したレンズ規格値（Ｙ）と相違すると判定され、ステップＳ１４で警告表示された場合には、例えば店舗の担当者が処方箋等を確認し、今回から提供するコンタクトレンズのレンズ規格値が正当な理由に基づいて変更されたものであることを確認したことを条件として、続くステップＳ１５において、情報を確認したものとして、店舗用クライアント装置１０に確認済みの信号を入力して、レンズ提供のための作業を継続する。
【００６１】
一方、レンズ規格値の相違に正当な理由が無い場合には、取り出したコンタクトレンズパッケージ３２，３４が間違っていることから、ステップＳ１５において、情報を確認できなかったものとして、店舗用クライアント装置１０に再確認の信号を入力する。そして、店舗の担当者は改めて正しいレンズ規格のコンタクトレンズパッケージ３２，３４を店舗のコンタクトレンズ収容場所から探し出して取り出す。その後、新たに取り出したコンタクトレンズパッケージ３２，３４に対して、上記ステップＳ１０〜Ｓ１３に戻り、そのレンズ規格値の取得と前回提供したレンズ規格値との判定を実行する。
【００６２】
上記ステップＳ１３においてレンズ規格値が同じものと確認された場合およびステップＳ１５においてレンズ規格値の相違が正当理由によるものと確認された場合には、続くステップＳ１６において、例えば図１０に表示されている如き画面により、今回提供するコンタクトレンズのレンズ規格値を表示することで、最終確認情報をモニタ表示する。
【００６３】
そして、この画面情報を店舗の担当者が確認し、確認信号を入力すると、ステップＳ１７において、店舗用クランアント装置１０は、上述の処理で取得された各種情報（例えば、今回コンタクトレンズを提供する日付情報、提供されたレンズが左右何れのものであるかの情報、レンズ種別、レンズ規格値（Ｂ．Ｃ，＋／−，Ｐｏｗｅｒ，ＤＩＡ，Ｃ，ＡＸＩＳ等）、製造ロット番号等）を、履歴情報として、履歴情報記憶装置２２における該当顧客の情報として追加記録する。
【００６４】
また、店舗用クライアント装置１０は、上記情報更新と共に、顧客に提供することで店舗在庫が減少することとなるコンタクトレンズを店舗に補充するために、ステップＳ１８において、コンタクトレンズの発注を行う。当該発注は、ソフトウェアによって処理を実行する演算装置２０が、提供したものと同じレンズ規格値のコンタクトレンズ発注信号を、インターネット１８を通じてレンズメーカー側のサーバ装置１２に送信するレンズ発注手段により、レンズ提供者に対してコンタクトレンズの補充提供を注文して、一連の作業を終了する。なお、かかるレンズの発注処理に際しては、店舗在庫管理等と関係することから、発注に際して、店舗の担当者に要否を確認する画面を表示し、当該画面において担当者から発注指示信号の入力がなされた場合にだけ、レンズ提供者へコンタクトレンズの注文信号を発信する等しても良い。
【００６５】
更にまた、図１０に示された最終確認画面において、何等かの不具合が見つかった場合に、提供するコンタクトレンズの変更等の作業に対して容易に対応できるように、「戻る」という指示信号の入力ボタンを表示し、当該「戻る」作動の指示信号が入力された場合に、例えば上記ステップＳ１０等の適当な工程まで戻ることを可能にしても良い。
【００６６】
さらに、本実施形態の販売システムにおける店舗用クライアント装置１０は、上述の如き処理に従うコンタクトレンズの販売に際し、前記ステップＳ１１において、顧客に提供するコンタクトレンズパッケージ３２，３４に収容されたコンタクトレンズの製造ロット番号も取得し、ステップＳ１７において、かかる製造ロット番号を履歴情報記憶装置２２において情報記憶する。従って、このように顧客との関連付け情報をもって記憶された各コンタクトレンズの製造ロット番号を利用することにより、提供済みのコンタクトレンズについて何等かの問題が発見されたような場合でも、該当するコンタクトレンズを提供した顧客に対して的確な連絡を行うことが可能となる。
【００６７】
具体的には、例えば製造工程で何等かの問題が発見されて特定の製造ロット番号のコンタクトレンズだけを回収したい場合を想定すると、図１１に示されているように、先ず、ステップＴ１で、店舗に設置された店舗用クライアント装置１０において、製造ロット番号の入力用画面を表示させて、ステップＴ２で、対象となる製造ロット番号を入力させて情報を取得する。
【００６８】
次に、ステップＴ３において、店舗用クライアント装置１０により、入力された製造ロット番号と一致する製造ロット番号のコンタクトレンズを提供した顧客の情報を、履歴情報記憶装置２２の記憶情報から選択して取得し、ステップＴ４において、取得した顧客情報を、当該顧客名及び／又は顧客番号と共に製造ロット番号やコンタクトレンズ提供日等の必要な情報と併せてモニタ表示する。すなわち、ロット選択出力手段は、問題が発見されたコンタクトレンズに該当する特定の製造ロット番号がキーボード２４等により入力されることにより、記憶されたソフトウェアが演算装置２０に当該コンタクトレンズが提供された顧客情報を履歴情報記憶手段２２の記憶情報から選択抽出させ、その後、更に、画面表示を実行するソフトウェアが演算装置２０を作動させることにより、選択抽出された当該特定の製造ロット番号に該当するコンタクトレンズが提供されたレンズ使用者の情報を表示装置２６に外部出力することによって構成されているのである。
【００６９】
そして、このようにして取得された特定の製造ロット番号に該当するコンタクトレンズを提供した顧客の情報を利用して、続くＴ５〜Ｔ１０において、店舗において印刷したり（Ｔ５〜Ｔ６）、必要な情報を該当する顧客にメールで送信したり（Ｔ７〜Ｔ８）、必要な情報を該当する顧客にダイレクトメール（ＤＭ）で送付するための宛名ラベルを印刷したり（Ｔ９〜Ｔ１０）することが出来る。なお、店舗における顧客情報およびダイレクトメール送付用の宛名ラベルは、販売店舗の窓口担当者等が、キーボード２４やマウス等により印刷の指示信号を入力することによりソフトウェアが作動し、更にソフトウェアが印刷実行指令信号を演算装置２０および印刷手段としてのプリンタ等に送ることにより、印刷手段が作動して印刷が行われる。
【００７０】
従って、上述の如き販売システムを利用したコンタクトレンズの販売方法に従えば、レンズ使用者へ提供するコンタクトレンズパッケージ３２，３４からレンズ規格値を直接に取得し、当該レンズ使用者へ提供した前回のコンタクトレンズのレンズ規格値と相違する場合に警告が発せられる。即ち、一日や数週間、或いは数カ月毎に交換される使い捨て型コンタクトレンズでは、一般に、前回と同じレンズ規格のコンタクトレンズを繰り返して提供することになるから、その情報を巧く利用することにより、店舗の担当者による人為的ミスに起因した間違ったレンズ規格のコンタクトレンズの提供が効果的に防止され得るのである。
【００７１】
特に、本発明が対象とするコンタクトレンズは、高度管理医療器具であってそのパッケージ３２，３４には、正確なレンズ規格値が、レンズメーカーでの高度な管理下で表示されていることを利用することで、従来に比して特別な情報管理システムの負担を必要とすることなく、間違ったレンズ規格値のコンタクトレンズの提供防止が簡易に且つ効果的に実現可能となるのである。
【００７２】
なお、本実施形態では、複数の店舗用クライアント装置１０が、インターネット１８を通じて、サーバ装置１２に接続されたシステムを採用していたが、各店舗に独立した店舗用クラアント装置１０を設置し、サーバ装置１２から独立して作動させることも可能である。その場合には、サーバ装置１２への通信によるコンタクトレンズの自動的な発注処理等が実行できないことに止まり、本発明の目的は達成可能である。
【００７３】
また、本実施形態では、複数の店舗用クライアント装置１０が、インターネット１８を通じて、サーバ装置１２に接続されたシステムを採用していることから、全ての店舗用クライアント装置１０で取得された顧客情報やレンズ情報をインターネット１８を通じてサーバ装置１２に送信させることで、サーバ装置１２のデータベースを構築することができる。それ故、例えば、特定の製造ロット番号のコンタクトレンズに不備が発見された場合に、サーバ装置１２において、前記図１１に示された処理を実行し、該当する製造ロット番号のコンタクトレンズ提供を受けた顧客への情報発信処理を、サーバ装置１２で纏めて効率的に実行することも可能である。
【００７４】
更にまた、コンタクトレンズケースに付されてレンズ規格値を表示する手段や、それを読み取ってレンズ規格値の情報を取得するレンズ情報取得手段として、例示の如きバーコードやスキャナの他、前述のように包装ケースに記載された数字や文字をイメージとして取り込んで画像処理により数字や文字をレンズ規格値として認識するものや、ＩＣタグ、共振タグ等とそれに対応したリーダ等を採用することも可能である。その他にも、ケース付属情報からレンズ規格値を取得するレンズ情報取得手段として、店舗用クライアント装置１０に付属のキーボード２４やマイク等を利用し、店舗の担当者がコンタクトレンズケースの表示から読み取ったレンズ規格値に基づいて、キーボード２４から入力される数値やマイクを通じて入力される音声信号を解析して得られた数値を、レンズ規格値として採用することも可能である。
【００７５】
その他、一々列挙はしないが、本発明は当業者の知識に基づいて種々なる変更，修正，改良等を加えた態様で実施可能であり、また、そのような実施態様は、本発明の趣旨を逸脱しないかぎり、何れも、本発明の範囲内に含まれるものである。
【符号の説明】
【００７６】
２０：演算装置、２２：履歴情報記憶手段、３０：デジタルコードスキャナ（レンズ情報取得手段）、３２，３４：コンタクトレンズパッケージ（コンタクトレンズの包装ケース）
【図１】
0005690166.tif 000002
【図２】
0005690166.tif 000003
【図５】
0005690166.tif 000004
【図６】
0005690166.tif 000005
【図７】
0005690166.tif 000006
【図８】
0005690166.tif 000007
【図９】
0005690166.tif 000008
【図１０】
0005690166.tif 000009
【図１１】
0005690166.tif 000010
【図３】
0005690166.tif 000011
【図４】
0005690166.tif 000012